(57)【特許請求の範囲】
【請求項１】
エスカレータのスカートガードと測定対象のステップとの間の間隙の距離を複数の箇所で測定し、当該距離が複数の測定箇所で均一となるようにスカートガードと測定対象のステップとの位置関係を調整するための測定調整治具であって、
測定対象のステップの溝部に嵌め込んで固定され、測定対象のステップの長手方向に沿って貫通する本体側貫通孔を有する本体部と、
本体側貫通孔に進退可能に挿通され測定対象のステップの長手方向に沿って延伸する延伸部であって、スカートガードを傷つけない状態でスカートガードに当接するための丸み部分を含む先端部と、スカートガードと測定対象のステップとの間の間隙の距離を調整するために用いられる目盛を有する延伸部と、
複数の測定箇所のうちの１つの測定箇所で測定された測定値をスカートガードと測定対象のステップとの間の間隙調整の基準値として記録するための記録部を備え、
記録部は延伸部の目盛上を移動され記録部の所定位置が所定値を示す目盛位置と一致するように設定されることを特徴とする測定調整治具。
【請求項２】
請求項１に記載の測定調整治具において、
本体部は、本体側貫通孔の外周に記録部と螺合するための本体側ねじ切り部を有し、
記録部は、
延伸部の断面積のうち延伸方向に垂直な方向の断面積よりも大きい孔面積を含み延伸部が挿通される記録側貫通孔と、本体部の本体側ねじ切り部と螺合するための記録側ねじ切り部と、を有することを特徴とする測定調整治具。
【請求項３】
請求項１または請求項２に記載の測定調整治具において、
延伸部の先端部は、スカートガードの面に沿って回転可能なローラ部を含むことを特徴とする測定調整治具。
【請求項４】
請求項３に記載の測定調整治具において、
延伸部のローラ部とスカートガードの面とを当接させる方向に延伸部を付勢する付勢部であって、一方端が本体部に設けられ、他方端が延伸部に設けられる付勢部と、
をさらに備えることを特徴とする測定調整治具。
【請求項５】
請求項３に記載の測定調整治具において、
延伸部のうち延伸部のローラ部と本体部との間に設けられ、延伸部の断面積のうち延伸方向に垂直な方向の断面積よりも大きい断面積を有する鍔部と、
延伸部のローラとスカートガードの面とを当接させる方向に延伸部を付勢する付勢部であって、一方端が本体部に設けられ、他方端が鍔部に設けられる付勢部と、
をさらに備えることを特徴とする測定調整治具。
【発明の詳細な説明】
【技術分野】
【０００１】
本発明は、測定調整治具に係り、特に、エスカレータのスカートガードと測定対象のステップとの位置関係を調整するための測定調整治具に関する。
【背景技術】
【０００２】
現在、商業施設等の様々な場所にエスカレータが設置されている。エスカレータは、乗場床と降場床との間をステップが床面に水平な状態を保ちつつ移動することで乗客を昇降させている。そして、ステップの両側には、ガラスパネル等の内側板の下部にあり、ステップの側面と所定の距離を保つスカートガードが立設されている。
【０００３】
本発明に関連する技術として、例えば、特許文献１には、乗客を乗せて移動するステップの側部に隣接するスカートガードの上部と、上記ステップの側方に立設する欄干の下部との間を覆うエスカレータのインナーデッキの固定機構が開示されている。そして、上記インナーデッキのスカートガード側の端部に、上記スカートガードの上部と係合するように備えられた第１の係合部と、上記スカートガードの上部に、上記第１の係合部と係合するように備えられた第２の係合部を備える構成が開示されている。さらに、ロック操作により上記第１の係合部と上記第２の係合部とを係合させて上記インナーデッキを上記スカートガードに係止し、アンロック操作により上記第１の係合部と上記第２の係合部との係合を解除して上記インナーデッキを上記スカートガードから取り外し可能にするロック操作機構を有する構成が開示されている。
【先行技術文献】
【特許文献】
【０００４】
【特許文献１】特開２００７−３０２４２９号公報
【発明の概要】
【発明が解決しようとする課題】
【０００５】
ところで、エスカレータを長期間使用していると、ステップの側面とスカートガードとの間の間隙の距離が変化することがあるため、定期的に当該距離を測定して、ステップとスカートガードとの位置関係を調整するといった保守点検作業が必要である。そして、当該保守点検作業を行う場合に、保守作業員は、複数のステップの中から測定対象である１つのステップを乗場床と降場床の間を移動させながら複数の箇所において、スカートガードとの間の間隙の距離を測定して、両者の位置関係を調整する必要があるため、より簡単に調整を行えることが望まれる。
【０００６】
本発明の目的は、より好適にステップとスカートガードとの間の間隙を測定して、ステップとスカートガードの位置関係を調整することができる測定調整治具を提供することである。
【課題を解決するための手段】
【０００７】
本発明に係る測定調整治具は、エスカレータのスカートガードと測定対象のステップとの間の間隙の距離を複数の箇所で測定し、当該距離が複数の測定箇所で均一となるようにスカートガードと測定対象のステップとの位置関係を調整するための測定調整治具であって、測定対象のステップの溝部に嵌め込んで固定され、測定対象のステップの長手方向に沿って貫通する本体側貫通孔を有する本体部と、本体側貫通孔に進退可能に挿通され測定対象のステップの長手方向に沿って延伸する延伸部であって、スカートガードを傷つけない状態でスカートガードに当接するための丸み部分を含む先端部と、スカートガードと測定対象のステップとの間の間隙の距離を調整するために用いられる目盛を有する延伸部と、複数の測定箇所のうちの１つの測定箇所で測定された測定値をスカートガードと測定対象のステップとの間の間隙調整の基準値として記録するための記録部を備え、記録部は延伸部の目盛上を移動され記録部の所定位置が所定値を示す目盛位置と一致するように設定されることを特徴とする。
【０００９】
また、本発明に係る測定調整治具において、本体部は、本体側貫通孔の外周に記録部と螺合するための本体側ねじ切り部を有し、記録部は、延伸部の断面積のうち延伸方向に垂直な方向の断面積よりも大きい孔面積を含み延伸部が挿通される記録側貫通孔と、本体部の本体側ねじ切り部と螺合するための記録側ねじ切り部と、を有することが好ましい。
【００１０】
また、本発明に係る測定調整治具において、延伸部の先端部は、スカートガードの面に沿って回転可能なローラ部を含むことが好ましい。
【００１１】
また、本発明に係る測定調整治具において、延伸部のローラ部とスカートガードの面とを当接させる方向に延伸部を付勢する付勢部であって、一方端が本体部に設けられ、他方端が延伸部に設けられる付勢部と、をさらに備えることが好ましい。
【００１２】
また、本発明に係る測定調整治具において、延伸部のうち延伸部のローラ部と本体部との間に設けられ、延伸部の断面積のうち延伸方向に垂直な方向の断面積よりも大きい断面積を有する鍔部と、延伸部のローラとスカートガードの面とを当接させる方向に延伸部を付勢する付勢部であって、一方端が本体部に設けられ、他方端が鍔部に設けられる付勢部と、をさらに備えることが好ましい。
【発明の効果】
【００１３】
上記構成の測定調整治具によれば、スカートガードと測定対象のステップとの間の間隙の距離を調整するための目盛部を有するため、当該目盛部を用いて複数の測定箇所でスカートガードとステップとの間の間隙の距離が所定の距離となるように、スカートガードとステップとの位置関係を調整することができる。したがって、より好適にステップとスカートガードとの間の間隙を測定して、ステップとスカートガードの位置関係を調整することができる。
【図面の簡単な説明】
【００１４】
【図１】本発明に係る実施の形態において、エスカレータのうち、スカートガードとステップを示す図である。
【図２】本発明に係る実施の形態において、図１において矢印Ａ方向からステップの左側に立設されるスカートガード付近を見た様子を示す図である。
【図３】本発明に係る実施の形態において、図２におけるＢ−Ｂ線断面図である。
【図４】本発明に係る実施の形態において、測定調整治具の斜視図である。
【図５】本発明に係る実施の形態において、測定調整治具を用いてステップとスカートガードとの間の間隙の距離を測定している様子を示す図である。
【発明を実施するための形態】
【００１５】
以下では、全ての図面において同様の要素には同一の符号を付し、重複する説明を省略する。また、本文中の説明においては、必要に応じそれ以前に述べた符号を用いるものとする。
【００１６】
図１は、エスカレータ１０において、スカートガード部５０〜６６とステップ１２ａ〜１２ｈを示す図である。エスカレータ１０は、高低差のある乗場床と降場床との間で乗客を移動させる装置である。エスカレータ１０は、スカートガード部５０〜６６と、ステップ１２ａ〜１２ｈとを含んで構成される。エスカレータ１０には、スカートガード部５０〜６６とステップ１２ａ〜１２ｈの他に、移動手摺、内側板、ステップチェーン、駆動装置等といった構成要素が存在するがここでは詳細な説明は省略する。
【００１７】
ステップ１２ａ〜１２ｈは、乗客が一人または二人乗れる程度の大きさを有する。エスカレータ１０が運行している場合には、ステップ１２ａ〜１２ｈは、乗場床及び降場床の床面に対して水平な状態を保ちつつ移動する。また、ステップ１２ａ〜１２ｈには、スリップ防止のための溝部１３（図５参照）が複数設けられている。
【００１８】
スカートガード部５０〜６６は、ステップ１２ａ〜１２ｈの長手方向の両側にステップ１２ａ〜１２ｈとの間の間隙が所定の距離となるようにそれぞれ立設されている。そして、隣接するスカートガード部を相互に繋げることで、エスカレータ１０のほぼ全長に渡るスカートガードが設けられることとなる。スカートガード部５０〜６６は、後述する取付部によって取り付けられている。そして、後述するように、取付部を調整することで、スカートガード部５０〜６６とステップ１２ａ〜１２ｈとの間の間隙が、予め定められた所定の距離となるように調整することができる。
【００１９】
図２は、図１において矢印Ａ方向からステップ１２ａ〜１２ｈの左側に立設されるスカートガードのうちのスカートガード部５２，５４，５６，５８付近を見た様子を示す図である。図３は、図２におけるＢ−Ｂ線断面図である。図２と図３とに示されるように、スカートガード部５２とスカートガード部５４とを上側で取付ける取付部４６ａは、第１取付部材３２ａと、ビス８５ａ，８６ａと、第２取付部材３８ａと、締結部７６ａとを含んで構成される。
【００２０】
スカートガード部５２とスカートガード部５４とを上側で取り付ける取付部４６ａでは、ビス８６ａによってスカートガード部５２が第１取付部材３２ａに固定され、ビス８５ａによってスカートガード部５４が第１取付部材３２ａに固定される。そして、第１取付部材３２ａは、締結部７６ａによって第２取付部材３８ａに取付けられる。第１取付部材３２ａと第２取付部材３８ａとを取り付けるために設けられている締結部７６ａを通す孔は、略長方形状になっており、締結部７６ａを緩めて第１取付部材３２ａを左側あるいは右側（図２参照）にスライドさせることで、スカートガード部５２及びスカートガード部５４とステップ１２ａとの間の間隙７を同時に調整することができる。
【００２１】
スカートガード部５２とスカートガード部５４とを下側で取り付ける取付部４６ｂは、取付部４６ａと同様の構成であるため詳細な説明は省略する。なお、図２に示される、スカートガード部５４とスカートガード部５６を取り付ける取付部４４ａと、スカートガード部５６とスカートガード部５８とを取り付ける取付部４２ａについても取付部４６ａと同様の構成であるため詳細な説明は省略する。このように、隣接するスカートガード部は対応する取付部によって相互に繋げられることで、エスカレータ１０のほぼ全長に渡ってスカートガードが設けられることとなる。
【００２２】
上記のように、スカートガード部５０〜６６は、エスカレータ１０の略全長にわたって、ステップ１２ａ〜１２ｈとの間の間隙７が所定の距離となるように配置される。スカートガード部５０〜６６とステップ１２ａ〜１２ｈとの間の間隙７は、エスカレータ１０を利用する乗客等がスカートガード部５０〜６６に当たること等によりスカートガード部５０〜６６が変形したり位置がずれたりすることが原因となって、間隙７の距離が変わる場合がある。そのため、スカートガード部５０〜６６とステップ１２ａ〜１２ｈとの間隙７の距離は、エスカレータ１０の保守管理において、定期的に測定して検査され、適正な間隙７の距離となるように調整される。
【００２３】
ここで、スカートガード部５０〜６６とステップ１２ａ〜１２ｈとの間の間隙７の距離を調整するための方法としては、複数のステップ１２ａ〜１２ｈの中から測定対象のステップを１つ特定する必要があり、ここではステップ１２ａに特定するものとして説明する。保守作業員がスカートガード部５０〜６６とステップ１２ａ〜１２ｈとの間の間隙７を調整する際には、特定されたステップ１２ａを乗場床と降場床の間を移動させて、スカートガード部５０〜６６の中から複数のスカートガード部との間の間隙７において距離を測定して間隙７を調整する。ここでは、ステップ１２ａとスカートガード部５２との間の間隙７、ステップ１２ａとスカートガード部５６との間の間隙７、ステップ１２ａとスカートガード６０との間の間隙７、ステップ１２ａとスカートガード６４との間の間隙７がそれぞれ適正な距離で、それぞれの距離が均一となるように調整する。
【００２４】
測定調整治具１００は、スカートガード部５０〜６６とステップ１２ａ〜１２ｈとの間の間隙７の距離を測定し、スカートガード部５０〜６６とステップ１２ａ〜１２ｈとの位置関係を調整するための治具である。図４は、測定調整治具１００の斜視図である。図５は、測定調整治具１００を用いてステップ１２ａとスカートガード部５２との間の間隙７の距離を測定している様子を示す図である。測定調整治具１００は、本体部１１０と、延伸部１２０と、記録部１３０と、鍔部１４０と、付勢部１５０とを含んで構成される。
【００２５】
本体部１１０は、測定対象のステップであるステップ１２ａの溝部１３に嵌め込んでしかりと固定される四角柱形状を有している。そして、本体部１１０は、その平板面のほぼ中心において、ステップ１２ａの長手方向（図５の矢印Ｄ方向）に沿って貫通する本体側貫通孔１１２を有している。また、本体部１１０は、本体側貫通孔１１２の外周に、後述する記録部１３０の胴体部１３０ｂと螺合するための本体側ねじ切り部１１２ａが形成されている。
【００２６】
延伸部１２０は、本体部１１０の本体側貫通孔１１２に進退可能に挿通される延伸部材である。延伸部１２０の延伸方向（図５の矢印Ｄ方向）に垂直な方向の断面積は、本体部１１０の本体側貫通孔１１２の孔面積よりもひとまわり小さい。延伸部１２０は、先端部（図５の左側）にスカートガード部５０〜６６の面に対して傷つけない状態で当接するためのローラ部１２２が取り付けられている。ここで、延伸部１２０のローラ部１２２は、軸１２２ａを回転軸として図４に示される矢印Ｃ方向に回転可能な状態（角度を変更可能な状態）で取り付けられている。したがって、延伸部１２０のローラ部１２２をスカートガード部５０〜６６の面に当接させたままの状態でステップ１２ａを動かしてもステップ１２ａの移動方向に追従してローラ部１２２の角度を変更できる。延伸部１２０は、先端部と反対側の基端部側（図５の右側）において、スカートガード部５０〜６６とステップ１２ａ〜１２ｈとの間の間隙７の距離を計測して間隙７を調整するための目盛部１２４が設けられている。なお、延伸部１２０の延伸方向（図５の矢印Ｄ方向）に垂直な方向の断面積は、後述する記録部１３０の記録側貫通孔１３２の孔面積よりもひとまわり小さい。
【００２７】
記録部１３０は、本体部１１０の本体側貫通孔１１２の孔面積よりも大きい断面積（図５の矢印Ｄ方向に垂直な方向の断面積）を有する頭部１３０ａと、本体部１１０の本体側ねじ切り部１１２ａと螺合するためにねじ切りされた外形を有する胴体部１３０ｂとを含んで構成される。また、記録部１３０は、延伸部１２０の断面積のうち延伸方向（図５の矢印Ｄ方向）に垂直な方向の断面積よりも大きい孔面積を有し、延伸部１２０が挿通される記録側貫通孔１３２が形成されている。なお、延伸部１２０、記録部１３０、本体部１１０の断面積、孔面積の関係は、（延伸部１２０の延伸方向に垂直な方向の断面積）＜（記録部１３０の記録側貫通孔１３２の孔面積）＜（本体部１１０の本体側貫通孔１１２の孔面積）となっている。
【００２８】
鍔部１４０は、延伸部１２０のうち、ローラ部１２２と本体部１１０との間に設けられる鍔部材である。鍔部１４０は、その延伸方向（図５の矢印Ｄ方向）に垂直な方向の断面積が延伸部１２０のうち延伸方向（図５の矢印Ｄ方向）に垂直な方向の断面積よりも大きい外形を有している。
【００２９】
付勢部１５０は、延伸部１２０の先端部に設けられるローラ部１２２とスカートガード部５０〜６６の面とを当接させる方向に付勢するバネ部材である。付勢部１５０は、一方端が本体部１１０の左側平板面に取り付けられ、他方端が鍔部１４０の右側平板面に取り付けられる。
【００３０】
上記構成の測定調整治具１００の作用について、図１〜図５を用いて説明する。エスカレータ１０を長期間利用していると、乗客等がスカートガード部５０〜６６に当たること等によりスカートガード部５０〜６６が変形したり位置がずれたりすることが原因で、間隙７の距離が変わる場合がある。したがって、定期的にスカートガード部５０〜６６とステップ１２ａ〜１２ｈとの間の間隙７を調整する保守点検作業が行なわれる。そして、保守作業員がスカートガード部５０〜６６とステップ１２ａ〜１２ｈとの間の間隙７を調整する際には、例えば、特定されたステップ１２ａを乗場床と降場床の間を移動させて、スカートガード部５０〜６６の中から特定された複数のスカートガード部との間の間隙７において距離を測定して間隙７を調整する保守点検方法がある。ここでは、ステップ１２ａとスカートガード部５２との間の間隙７、ステップ１２ａとスカートガード部５６との間の間隙７、ステップ１２ａとスカートガード６０との間の間隙７、ステップ１２ａとスカートガード６４との間の間隙７をそれぞれ適正な距離とし、さらにそれぞれの距離が均一となるように調整する保守点検作業について説明する。
【００３１】
具体的には、保守作業員は、保守調整治具１００において、ステップ１２ａの溝部１３に本体部１１０を嵌め込んで固定する、例えば、図５に示されるように、左側から３番目の溝部１３に嵌め込む。そして、スカートガード部５２とステップ１２ａとの間の間隙７の距離を測定する。具体的には、保守作業員は、スカートガード部５２とステップ１２ａとの間の間隙７を定規等で測定し、当該間隙７が予め定められた所定範囲の距離（例えば、１．５ｍｍ〜２．０ｍｍが許容範囲）となっているか否かを確認する。
【００３２】
スカートガード部５２とステップ１２ａとの間の間隙７が、例えば２．０ｍｍである場合には、予め定められた所定範囲内の距離であるため、保守作業員は、記録部１３０と目盛部１２４との位置関係により、上記のように測定された測定値（２．０ｍｍ）を、スカートガード部５６，６０，６４とステップ１２ａとの間の間隙調整の基準値とするために記録する。具体的には、保守作業員は、目盛部１２４上において測定値（２．０ｍｍ）に対応する位置まで記録部１３０の頭部１３０ａの右側端面を移動させる（換言すれば、記録部１３０の頭部１３０ａの右側端面が目盛部１２４上の２．０ｍｍを示す位置と一致するように設定する）。なお、スカートガード部５２とステップ１２ａとの間の間隙７の距離が１．５ｍｍ〜２．０ｍｍから外れている場合には、取付部４６ａ，４６ｂの第１取付部材３２ａ，３２ｂをスライドすることにより、スカートガード部５２とステップ１２ａとの間の間隙７の距離が１．５ｍｍ〜２．０ｍｍの範囲に入るように調整し、定規等を用いて調整後の間隙７を再び計測する。そして、保守作業員は、目盛部１２４上において調整後の測定値（例えば、２．０ｍｍ）に対応する位置まで記録部１３０の頭部１３０ａの右側端面を移動させる。以下では、ステップ１２ａとスカートガード部５２との間の間隙７の距離（測定値）が２．０ｍｍであるものとして説明する。
【００３３】
続いて、保守作業員は、ステップ１２ａを次の測定箇所であるスカートガード部５６の位置まで移動させる。ここで、スカートガード部５６の位置が通常時と比べてずれる等しているとスカートガード部５６とステップ１２ａとの間の間隙７が変わっている。例えば、スカートガード部５６とステップ１２ａとの間の間隙７が大きくなっている場合は、付勢部１５０の付勢力によって、ローラ部１２２がスカートガード部５６の面に当接するまで延伸部１２２が矢印Ｄ方向に移動することとなる。上記のように、スカートガード部５２とステップ１２ａとの間の間隙７の測定値を間隙調整の基準値とするために、頭部１３０ａの右側端面が目盛部１２４上の２．０ｍｍを示す位置と一致するようにしていたが、間隙７が大きくなっているため、目盛部１２４上における記録部１３０の頭部１３０ａの右側端面の位置が、例えば、目盛部１２４上の２．６ｍｍと一致するといったようにスカートガード部５６とステップ１２ａとの間の間隙７が大きくなった分（ここでは０．６ｍｍ）だけずれることとなる。したがって、スカートガード部５６とステップ１２ａとの間の間隙７を調整するために、頭部１３０ａの右側端面が目盛部１２４上の２．０ｍｍを示す位置と一致するようになるまで、取付部４２ａ，４４ａ等を調整する。これにより、スカートガード部５２とステップ１２ａとの間の間隙７の距離と、スカートガード部５６とステップ１２ａとの間の間隙７の距離とを均一にすることができる。
【００３４】
なお、スカートガード部５６とステップ１２ａの間隙７が小さくなっている場合は、目盛部１２４上の記録部１３０の頭部１３０ａの右側端面の位置が、例えば、目盛部１２４上の１．３ｍｍと一致するといったように、スカートガード部５６とステップ１２ａとの間の間隙７が小さくなった分（ここでは０．７ｍｍ）だけずれることとなる。この場合にも、スカートガード部５６とステップ１２ａの間隙７を調整するために、頭部１３０ａの右側端面が目盛部１２４上の２．０ｍｍを示す位置と一致するようになるまで取付部４２ａ，４４ａ等を調整する。これにより、スカートガード部５２とステップ１２ａとの間の間隙７の距離と、スカートガード部５６とステップ１２ａとの間の間隙７の距離とを均一にすることができる。
【００３５】
次に、保守作業員は、ステップ１２ａを次の測定箇所であるスカートガード６０の位置まで移動させて、スカートガード６０とステップ１２ａとの間の間隙７の距離を測定し、上記調整方法と同様に、スカートガード部５２とステップ１２ａとの間の間隙７の距離と均一になるように調整する。続いて、保守作業員は、ステップ１２ａを次の測定箇所であるスカートガード６４の位置まで移動させて、スカートガード６４とステップ１２ａとの間の間隙７の距離を測定し、上記調整方法と同様に、スカートガード部５２とステップ１２ａとの間の間隙７の距離と均一になるように調整する。
【００３６】
上記のように、保守作業員は、測定対象であるステップ１２ａを複数のスカートガード部５２，５６，６０，６４との間で間隙７を測定し、ステップ１２ａとスカートガード部５２，５６，６０，６４との位置関係を調整する場合に、ステップ１２ａとスカートガード部５２との間の間隙７が予め定められた所定範囲内の距離であれば、目盛部１２４上において当該測定値に対応する位置まで記録部１３０の頭部１３０ａの右側端面を移動させる。また、当該間隙７が予め定められた所定範囲の距離から外れている場合には、ステップ１２ａとスカートガード部５２との位置関係を調整し、目盛部１２４上において当該調整後の測定値に対応する位置まで記録部１３０の頭部１３０ａの右側端面を移動させる。その後、ステップ１２ａを移動させながら、ステップ１２ａとスカートガード部５６，６０，６４との間のそれぞれの間隙７の距離が測定調整治具１００のステップ１２とスカートガード５２との間の間隙７の距離の測定値と均一になるようにそれぞれ調整することができる。これにより、ステップ１２ａとスカートガード部５２，５６，６０，６４の間の間隙７の距離を予め定められた所定範囲内の距離（例えば、１．５ｍｍ〜２．０ｍｍが許容範囲）のものとし、さらにそれぞれの間隙７を均一の距離とすることができる。
【００３７】
なお、上記測定調整治具１００の付勢部１５０は、延伸部１２０の先端部に設けられるローラ部１２２とスカートガード部５０〜６６の面とを当接させる方向に付勢するために、一方端が本体部１１０の左側平板面に取付られ、他方端が鍔部１４０の右側平板面に取り付けられるものとして説明したが、一方端が本体部１１０に左側平板面に取り付けられ、他方端が延伸部１２０のうちローラ部１２２と本体部１１０の間の部分に取り付けられるものであってもよい。
【００３８】
また、上記測定調整治具１００は、測定対象のステップ１２ａの溝部１３に嵌め込まれる本体部１１０を有するものとして説明したが、本体部１１０は、測定対象のステップ１２ａのライザを構成する溝部に嵌め込まれる形状であっても同様にステップ１２ａとスカートガード部５０〜６６との間の間隙７を測定し、調整することもできる。
【符号の説明】
【００３９】
７  間隙、１０  エスカレータ、１２ａ，１２ｂ，１２ｃ，１２ｄ，１２ｅ，１２ｆ，１２ｇ，１２ｈ  ステップ、１３  溝部、３２ａ，３２ｂ  第１取付部材、３４ａ，３６ａ，３８ａ，３８ｂ  第２取付部材、４２ａ，４４ａ，４６ａ，４６ｂ  取付部、５０,５２,５４，５６，５８，６０，６２，６４，６６  スカートガード部、７２ａ，７４ａ，７６ａ，７６ｂ  締結部、８１ａ，８２ａ，８３ａ，８４ａ，８５ａ，８６ａ  ビス、１００  測定調整治具、１１０  本体部、１１２  本体側貫通孔、１１２ａ  本体側ねじきり部、１２０  延伸部、１２２  ローラ部、１２２ａ  軸、１２４  目盛部、１３０  記録部、１３０ａ  頭部、１３０ｂ  胴体部、１３２  記録側貫通孔、１４０  鍔部、１５０  付勢部。
【図１】
0005552356.tif 000002
【図２】
0005552356.tif 000003
【図３】
0005552356.tif 000004
【図４】
0005552356.tif 000005
【図５】
0005552356.tif 000006